【手続補正書】
【提出日】平成25年3月5日(2013.3.5)
【手続補正１】
【補正対象書類名】明細書
【補正対象項目名】０００６
【補正方法】変更
【補正の内容】
【０００６】
請求項１記載の液体浮力を利用した揚水式発電装置は、複数の中間浮力用水排水バルブおよび下部浮力用水排水バルブを付設する有底筒状の水槽、該水槽に浮水用水間隙を介して昇降自在に遊嵌する浮水槽浮力用密閉空間部および該浮水槽浮力用密閉空間部の外周より大きな外周を有する有底凹皿状に形成され前記浮水槽浮力用密閉空間部の上に載置されてなり上下に複数の発電用水給水バルブを付設する発電用水揚水槽部からなる浮水槽、ならびに該浮水槽を昇降自在に案内するガイド部材からなるガイド付浮水部Ａと、前記ガイド付浮水部Ａの側方の前記水槽より上位となる位置に配置され、水圧管を付設してなる上部発電用水槽、前記水圧管に放流される発電用水により発電をする水車および発電機、ならびに該水車および発電機により発電に使用された発電用水を貯水し上下に複数の発電用水排水バルブを付設する下部発電用水槽からなる水車式発電部Ｂと、前記ガイド付浮水部Ａの前記水槽の側方に配置され、前記水槽に浮力用水を給水する上部浮力用水給水バルブを付設する上部浮力用水槽、前記水槽に浮力用水を給水する中間浮力用水給水バルブを付設するとともに前記水槽に付設された中間浮力用水排水バルブから浮力用水を排水される複数の中間浮力用水槽、および前記水槽に付設された下部浮力用水排水バルブから浮力用水を排水される下部浮力用水槽からなる浮力用水給排水部Ｃと、前記下部浮力用水槽と前記上部浮力用水槽とを連結する揚水管、および該揚水管を通じて前記下部浮力用水槽に貯水した浮力用水を前記上部浮力用水槽へ揚水する揚水ポンプからなるパイプ付揚水部Ｄとを備え、前記上部浮力用水槽および前記中間浮力用水槽から浮力用水を前記水槽に順次給水することにより前記浮水槽浮力用密閉空間部の浮力により前記浮水槽を上昇させ、前記発電用水揚水槽部が前記上部発電用水槽の上縁を越えたときに前記発電用水揚水槽部から発電用水を前記上部発電用水槽に給水し、前記発電用水揚水槽部の発電用水が前記上部発電用水槽に給水されて前記浮水槽の総重量が減少することにより前記浮水槽がさらに上昇し、前記上部発電用水槽から発電用水を前記水圧管を通じて放流させることにより前記水車および前記発電機により発電し、発電に使用された発電用水を前記下部発電用水槽に貯水し、前記水槽から前記中間浮力用水槽および前記下部浮力用水槽に浮力用水を順次排水することにより前記浮水槽を下降させ、前記発電用水揚水槽部が最下位に達したときに前記下部浮力用水槽に貯水された浮力用水を前記揚水ポンプにより前記揚水管を通じて前記上部浮力用水槽に揚水することを特徴とする。
【手続補正２】
【補正対象書類名】明細書
【補正対象項目名】００１０
【補正方法】変更
【補正の内容】
【００１０】
請求項５記載の液体浮力を利用した揚水式発電装置は、前記水槽の前記中間浮力用水排水バルブおよび前記下部浮力用水排水バルブのそれぞれにマイクロ発電機を付設し、前記水槽から浮力用水を前記中間浮力用水槽および前記下部浮力用水槽に排水するときにも各マイクロ発電機により発電が行われることを特徴する。
【手続補正３】
【補正対象書類名】明細書
【補正対象項目名】００１４
【補正方法】変更
【補正の内容】
【００１４】
（１）  本発明の液体浮力を利用した揚水式発電装置によれば、浮水槽浮力用密閉空間部の上に浮水槽浮力用密閉空間部の外周より大きな外周を有する有底凹皿状に形成された発電用水揚水槽部を設けた浮水槽をガイド部材により昇降自在に案内するとともに、水槽からの浮力用水の排水により浮水槽を下降させて下部発電用水槽から発電用水揚水槽部への発電用水の排水を可能にするとともに、浮力用水の水槽への給水により浮水槽を上昇させて発電用水揚水槽部から上部発電用水槽へ発電用水の給水を可能にするようにし、ガイド部材により浮水槽の昇降時の横ブレを少なくして、安定した昇降を行うことができる。
【手続補正４】
【補正対象書類名】明細書
【補正対象項目名】００２０
【補正方法】変更
【補正の内容】
【００２０】
（７）  本発明の液体浮力を利用した揚水式発電装置によれば、水槽の中間浮力用水排水バルブおよび下部浮力用水排水バルブのそれぞれにマイクロ発電機を付設し、水槽から浮力用水を中間浮力用水槽および下部浮力用水槽に排水するときにも各マイクロ発電機により発電が行われるようにしたので、総発電量を増やすことができるとともに単位時間当たりの発電量を増やすことができる。
【手続補正５】
【補正対象書類名】明細書
【補正対象項目名】００２６
【補正方法】変更
【補正の内容】
【００２６】
ガイド付浮水部Ａは、複数の中間浮力用水排水バルブ１７および下部浮力用水排水バルブ１４を付設する有底四角筒状の水槽１と、水槽１に浮水用水間隙を介して昇降自在に遊嵌する浮水槽浮力用密閉空間部３および浮水槽浮力用密閉空間部３の外周より大きな外周を有する有底凹皿状に形成され浮水槽浮力用密閉空間部３の上に載置されてなり上下に複数の発電用水給水バルブを付設する発電用水揚水槽部４からなる浮水槽２と、発電用水揚水槽部４を昇降自在に案内する直方体枠状のガイド部材５とから、その主要部が構成されている。
【手続補正６】
【補正対象書類名】明細書
【補正対象項目名】００２９
【補正方法】変更
【補正の内容】
【００２９】
浮力用水給排水部Ｃは、水槽１の左右両側方に分散して配置され、水槽１に浮力用水を給水する上部浮力用水給水バルブ２１を付設する上部浮力用水槽２０と、水槽１に浮力用水を給水する中間浮力用水給水バルブ１６を付設するとともに水槽１に付設された中間浮力用水排水バルブ１７から浮力用水を排水される複数の中間浮力用水槽１５と、水槽１に付設された下部浮力用水排水バルブ１４から浮力用水を排水される下部浮力用水槽１３とから、その主要部が構成されている。中間浮力用水槽１５間の間隔を詰めるとともに複数の中間浮力用水槽１５を水槽１の左右両側方に分散して配置することにより、１つの中間浮力用水槽１５の容量を小さくすることができ、中間浮力用水槽１５の多数化小容量化により下部浮力用水槽１３の容量も小さくなる。その結果、下部浮力用水槽１３から浮力用水を上部浮力用水槽２０に揚水するための揚水ポンプ１８の容量も小さくなる。複数の中間浮力用水槽１５には、水槽１内の浮力用水が複数の中間浮力用水排水バルブ１７からそれぞれ排水されるようになっている。また、下部浮力用水槽１３には、水槽１内の浮力用水が下部浮力用水排水バルブ１４から排水されるようになっている。なお、上部浮力用水槽２０の上部浮力用水給水バルブ２１および中間浮力用水槽１５の中間浮力用水給水バルブ１６のそれぞれにマイクロ発電機３０を付設し、上部浮力用水槽２０および中間浮力用水槽１５から浮力用水を水槽１に給水するときにも各マイクロ発電機３０により発電が行われるようになっている。また、水槽１の中間浮力用水排水バルブ１７および下部浮力用水排水バルブ１４のそれぞれにマイクロ発電機３０を付設し、水槽１から浮力用水を中間浮力用水槽１５および下部浮力用水槽１３に排水するときにも各マイクロ発電機３０により発電が行われるようになっている。
【手続補正７】
【補正対象書類名】特許請求の範囲
【補正対象項目名】請求項１
【補正方法】変更
【補正の内容】
【請求項１】
複数の中間浮力用水排水バルブおよび下部浮力用水排水バルブを付設する有底筒状の水槽、該水槽に浮水用水間隙を介して昇降自在に遊嵌する浮水槽浮力用密閉空間部および該浮水槽浮力用密閉空間部の外周より大きな外周を有する有底凹皿状に形成され前記浮水槽浮力用密閉空間部の上に載置されてなり上下に複数の発電用水給水バルブを付設する発電用水揚水槽部からなる浮水槽、ならびに該浮水槽を昇降自在に案内するガイド部材からなるガイド付浮水部Ａと、
前記ガイド付浮水部Ａの側方の前記水槽より上位となる位置に配置され、水圧管を付設してなる上部発電用水槽、前記水圧管に放流される発電用水により発電をする水車および発電機、ならびに該水車および発電機により発電に使用された発電用水を貯水し上下に複数の発電用水排水バルブを付設する下部発電用水槽からなる水車式発電部Ｂと、
前記ガイド付浮水部Ａの前記水槽の側方に配置され、前記水槽に浮力用水を給水する上部浮力用水給水バルブを付設する上部浮力用水槽、前記水槽に浮力用水を給水する中間浮力用水給水バルブを付設するとともに前記水槽に付設された中間浮力用水排水バルブから浮力用水を排水される複数の中間浮力用水槽、および前記水槽に付設された下部浮力用水排水バルブから浮力用水を排水される下部浮力用水槽からなる浮力用水給排水部Ｃと、
前記下部浮力用水槽と前記上部浮力用水槽とを連結する揚水管、および該揚水管を通じて前記下部浮力用水槽に貯水した浮力用水を前記上部浮力用水槽へ揚水する揚水ポンプからなるパイプ付揚水部Ｄとを備え、
前記上部浮力用水槽および前記中間浮力用水槽から浮力用水を前記水槽に順次給水することにより前記浮水槽浮力用密閉空間部の浮力により前記浮水槽を上昇させ、前記発電用水揚水槽部が前記上部発電用水槽の上縁を越えたときに前記発電用水揚水槽部から発電用水を前記上部発電用水槽に給水し、前記発電用水揚水槽部の発電用水が前記上部発電用水槽に給水されて前記浮水槽の総重量が減少することにより前記浮水槽がさらに上昇し、前記上部発電用水槽から発電用水を前記水圧管を通じて放流させることにより前記水車および前記発電機により発電し、発電に使用された発電用水を前記下部発電用水槽に貯水し、前記水槽から前記中間浮力用水槽および前記下部浮力用水槽に浮力用水を順次排水することにより前記浮水槽を下降させ、前記発電用水揚水槽部が最下位に達したときに前記下部浮力用水槽に貯水された浮力用水を前記揚水ポンプにより前記揚水管を通じて前記上部浮力用水槽に揚水することを特徴とする液体浮力を利用した揚水式発電装置。
【手続補正８】
【補正対象書類名】特許請求の範囲
【補正対象項目名】請求項５
【補正方法】変更
【補正の内容】
【請求項５】
前記水槽の前記中間浮力用水排水バルブおよび前記下部浮力用水排水バルブのそれぞれにマイクロ発電機を付設し、前記水槽から浮力用水を前記中間浮力用水槽および前記下部浮力用水槽に排水するときにも各マイクロ発電機により発電が行われるようにしたことを特徴とする請求項１ないし４のいずれか１項に記載の液体浮力を利用した揚水式発電装置。